(57)【要約】【課題】２つに分離可能な構成を具備し、分離した場合にインレットシートが一方のみに含まれながらも、所望の通信距離を確保することができ、かつ、分離可能な２つの部分の同一面に情報をそれぞれ表示する。【解決手段】分離片１１１と残存片１１２とが分離可能に連接した表面シート１１０と、非接触状態にて情報の書き込み及び／または読み出しが可能なＩＣチップ１３１と、ＩＣチップ１３１に接続されたアンテナとを具備し、表面シート１１０の一方の面側に、分離片１１１と残存片１１２とを跨るように配置され、表面シート１１０の分離片１１１のみに貼着されたインレットシート１３０と、表面シート１１０のインレットシート１３０が配置された面に、分離片１１１が剥離可能となるように貼着された裏面シート１２０とを有する。【選択図】図１
2010020457.tif 000002
【特許請求の範囲】
【請求項１】
第１の紙片部と第２の紙片部とが分離可能に連接した第１のシートと、
非接触状態にて情報の書き込み及び／または読み出しが可能なＩＣチップと、該ＩＣチップに接続されたアンテナとを具備し、前記第１のシートの一方の面側に、前記第１の紙片部と前記第２の紙片部とを跨るように配置され、前記第１のシートの前記第１の紙片部のみに貼着されたインレットシートと、
前記第１のシートの前記インレットシートが配置された面に、前記第１の紙片部が剥離可能となるように貼着された第２のシートとを有するＲＦ−ＩＤタグ。
【請求項２】
第１の紙片部と第２の紙片部とが分離可能に連接した第１のシートと、
非接触状態にて情報の書き込み及び／または読み出しが可能なＩＣチップと、該ＩＣチップに接続されたアンテナとを具備し、前記第１のシートの一方の面側に、前記第１の紙片部と前記第２の紙片部とを跨るように配置されたインレットシートと、
前記第１のシートの前記インレットシートが配置された面に貼着され、前記第１の紙片部に対向する第３の紙片部と、前記第２の紙片部に対向する第４の紙片部とが分離可能に連接した第２のシートとを有し、
前記インレットシートは、前記第１の紙片部と前記第３の紙片部との少なくとも一方に貼着されたＲＦ−ＩＤタグ。
【発明の詳細な説明】
【技術分野】
【０００１】
本発明は、非接触状態にて情報の書き込みや読み出しが可能なＲＦ−ＩＤタグに関し、特に、２つに分離可能となる分離構造に関する。
【背景技術】
【０００２】
従来より、店舗等にて陳列、販売される商品においては、その商品の商品番号、サイズ、色、値段等といった商品に関する情報が表示されたタグが取り付けられ、タグに表示された情報が消費者に示されるとともに、店舗側においてタグに表示された情報を用いて商品管理が行われている。このような商品に取り付けられるタグとしては、最も簡単な構造のものとして、取り付けられた商品に関する情報が表示されただけのものから、商品番号がバーコード表示されたもの等がある。さらには、近年においては、非接触状態にて情報の書き込みや読み出しが可能なＩＣチップが内蔵されたＲＦ−ＩＤタグが用いられている。
【０００３】
非接触状態にて情報の書き込みや読み出しが可能なＩＣチップが内蔵されたＲＦ−ＩＤタグにおいては、書き込み可能な情報量が、タグに表示可能な情報量に比べて格段に多いこと、また、情報の書き換えが容易に行うことができること等から急速な普及が進みつつある。ＲＦ−ＩＤタグは、２つのコイルの誘電磁束による誘起電力を利用した電磁誘導方式によるものや、マイクロ波帯を利用して通信を行うマイクロ波方式によるもの等があるが、この中でも、マイクロ波帯を利用して通信を行うマイクロ波方式によるものは、ＩＣチップに接続された導電性のアンテナの長さによって通信距離を延ばすことができるため、近年ではその利用数が増加している。
【０００４】
また、このようなタグにおいては、店舗側において、取り付けられた商品の販売履歴を管理するために２つに分離可能な構成とされている場合がある。そのため、ＩＣチップやアンテナを有する部分を含めて２つに分離可能とすることが考えられるが、その場合、２つに分離したもののうち、販売後に商品に取り付けられたままとなった部分にＩＣチップやアンテナの一部が含まれていることとなるため、消費者においては、商品の購入後、何らかの情報の書き込み等が行われているのではないかという不安が生じてしまう虞れがある。そこで、ＩＣチップやアンテナを有する部分を、分離した２つの部分のうち商品から分離されるもののみに内蔵することが考えられる。ところが、上述したようなマイクロ波帯を利用して通信を行うものにおいては、通信距離を確保するためにはアンテナの長さが長い方が好ましいため、ＩＣチップやアンテナを有する部分を、分離した一方のみに内蔵した場合、所望の通信距離を確保するためにタグの大きさが大きくなってしまったり、タグの大きさに合わせるとアンテナの長さが短くしかとれず、所望の通信距離を確保することができなくなってしまったりすることになる。
【０００５】
ここで、ＩＣチップとアンテナが内蔵されたタグ本体の表面に、情報が印字されたラベルが剥離可能に貼着されたＲＦＩＤタグが考えられている（例えば、特許文献１参照。）。このＲＦＩＤタグを用いた場合、アンテナの長さをＲＦＩＤタグ全体の大きさに応じたものとすることができるとともに、ラベルをタグ本体から剥離することにより２つに分離し、その一方のみにＩＣチップとアンテナを内蔵することができる。
【特許文献１】特開２００６−１１３２０号公報
【発明の開示】
【発明が解決しようとする課題】
【０００６】
商品に取り付けられるタグにおいては、２つに分離可能な構成となっている場合、取り付けられる商品の商品番号、サイズ、色、値段等といった商品に関する情報を消費者に表示するとともに商品の販売履歴の管理に用いるために、２つに分離される紙片部のそれぞれに商品に関する情報が表示されることが好ましい。そのため、上述したようなＩＣチップとアンテナが内蔵されたタグ本体の表面に、情報が印字されたラベルが剥離可能に貼着されたＲＦＩＤタグにおいては、ラベルを剥離することにより分離される２つの紙片部のそれぞれに情報を表示する場合、ラベルとＲＦＩＤ本体との異なる面に情報が表示されることになる。
【０００７】
ところで、取り付けられる商品の商品番号、サイズ、色、値段等といった商品に関する情報は商品毎に異なる可変情報である。そのため、商品に関する情報を異なる面に表示する場合、その印刷工程においてマッチングをとる必要が生じ、処理が煩雑となってしまうとともに、異なる面に表示された情報が、同一でないもの、あるいは対応しないものとなってしまう虞れがある。
【０００８】
本発明は、上述したような従来の技術が有する問題点に鑑みてなされたものであって、非接触状態にて情報の書き込みや読み出しが可能なＩＣチップとＩＣチップに接続されたアンテナとを具備するインレットシートを有してなるＲＦ−ＩＤタグにおいて、２つに分離可能な構成を具備し、分離した場合にインレットシートが一方のみに含まれながらも、所望の通信距離を確保することができ、かつ、分離可能な２つの部分の同一面に情報をそれぞれ表示することができるＲＦ−ＩＤタグを提供することを目的とする。
【課題を解決するための手段】
【０００９】
上記目的を達成するために本発明は、
第１の紙片部と第２の紙片部とが分離可能に連接した第１のシートと、
非接触状態にて情報の書き込み及び／または読み出しが可能なＩＣチップと、該ＩＣチップに接続されたアンテナとを具備し、前記第１のシートの一方の面側に、前記第１の紙片部と前記第２の紙片部とを跨るように配置され、前記第１のシートの前記第１の紙片部のみに貼着されたインレットシートと、
前記第１のシートの前記インレットシートが配置された面に、前記第１の紙片部が剥離可能となるように貼着された第２のシートとを有する。
【００１０】
上記のように構成された本発明においては、第１の紙片部と第２の紙片部とが分離可能に連接した第１のシートを有し、非接触状態にて情報の書き込み及び／または読み出しが可能なＩＣチップとＩＣチップに接続されたアンテナとを具備するインレットシートが、第１のシートの第１の紙片部と第２の紙片部とを跨るように配置されているため、アンテナの長さが、互いに分離される第１の紙片部や第２の紙片部の大きさに応じたものとする必要はなく、第１のシートに応じた大きさとすることができる。それにより、所望の通信距離を確保することができる。第１の紙片部と第２の紙片部は第１のシートにて分離可能に連接しているので、分離可能な２つの部分の同一面に情報をそれぞれ表示することができる。第１の紙片部は、第１のシートにて第２の紙片部と分離可能に連接しているとともに、第２のシートと剥離可能となるように貼着されているため、第２の紙片部から分離することができ、その際、インレットシートが、第１の紙片部のみに貼着されているため、第１の紙片部とともに第２の紙片部からインレットシートが分離することになる。
【００１１】
また、第１の紙片部と第２の紙片部とが分離可能に連接した第１のシートと、
非接触状態にて情報の書き込み及び／または読み出しが可能なＩＣチップと、該ＩＣチップに接続されたアンテナとを具備し、前記第１のシートの一方の面側に、前記第１の紙片部と前記第２の紙片部とを跨るように配置されたインレットシートと、
前記第１のシートの前記インレットシートが配置された面に貼着され、前記第１の紙片部に対向する第３の紙片部と、前記第２の紙片部に対向する第４の紙片部とが分離可能に連接した第２のシートとを有し、
前記インレットシートは、前記第１の紙片部と前記第３の紙片部との少なくとも一方に貼着されている。
【００１２】
上記のように構成された本発明においては、第１の紙片部と第２の紙片部とが分離可能に連接した第１のシートを有し、非接触状態にて情報の書き込み及び／または読み出しが可能なＩＣチップとＩＣチップに接続されたアンテナとを具備するインレットシートが、第１のシートの第１の紙片部と第２の紙片部とを跨るように配置されているため、アンテナの長さが、互いに分離される第１の紙片部や第２の紙片部の大きさに応じたものとする必要はなく、第１のシートに応じた大きさとすることができる。それにより、所望の通信距離を確保することができる。第１の紙片部と第２の紙片部は第１のシートにて分離可能に連接しているので、分離可能な２つの部分の同一面に情報をそれぞれ表示することができる。第１のシートのインレットシートが配置された面には、第１の紙片部に対向する第３の紙片部と、第２の紙片部に対向する第４の紙片部とが分離可能に連接した第２のシートが貼着されており、第１及び第３の紙片部と第２及び第４の紙片部とを互いに分離すると、インレットシートは、第１の紙片部と第３の紙片部との少なくとも一方に貼着されているため、第１及び第３の紙片部とともに第２及び第４の紙片部からインレットシートが分離することになる。
【発明の効果】
【００１３】
以上説明したように本発明においては、第１の紙片部と第２の紙片部とが分離可能に連接した第１のシートと、非接触状態にて情報の書き込み及び／または読み出しが可能なＩＣチップとＩＣチップに接続されたアンテナとを具備し、第１のシートの一方の面側に、第１の紙片部と第２の紙片部とを跨るように配置され、第１のシートの第１の紙片部のみに貼着されたインレットシートと、第１のシートのインレットシートが配置された面に、第１の紙片部が剥離可能となるように貼着された第２のシートとを有する構成としたため、第１のシートが２つに分離可能な構成を具備し、分離した場合にインレットシートが一方のみに含まれながらも、所望の通信距離を確保することができ、かつ、分離可能な２つの部分の同一面に情報をそれぞれ表示することができる。
【００１４】
また、第１の紙片部と第２の紙片部とが分離可能に連接した第１のシートと、非接触状態にて情報の書き込み及び／または読み出しが可能なＩＣチップとＩＣチップに接続されたアンテナとを具備し、第１のシートの一方の面側に、第１の紙片部と第２の紙片部とを跨るように配置されたインレットシートと、第１のシートのインレットシートが配置された面に貼着され、第１の紙片部に対向する第３の紙片部と、第２の紙片部に対向する第４の紙片部とが分離可能に連接した第２のシートとを有し、インレットシートが、第１の紙片部と第３の紙片部との少なくとも一方に貼着された構成としたものにおいても、第１のシートが２つに分離可能な構成を具備し、分離した場合にインレットシートが一方のみに含まれながらも、所望の通信距離を確保することができ、かつ、分離可能な２つの部分の同一面に情報をそれぞれ表示することができる。
【発明を実施するための最良の形態】
【００１５】
以下に、本発明の実施の形態について図面を参照して説明する。
【００１６】
（第１の実施の形態）
図１は、本発明のＲＦ−ＩＤタグの第１の実施の形態を示す図であり、（ａ）は表面図、（ｂ）は（ａ）に示したＡ−Ａ’断面図、（ｃ）は表面シート１１０の裏面シート１２０との貼着面を示す図、（ｄ）はインレットシート１３０の構成を示す図、（ｅ）は裏面シート１２０の表面シート１１０との貼着面を示す図である。
【００１７】
本形態は図１に示すように、第１のシートである表面シート１１０と、第２のシートである裏面シート１２０とが、インレットシート１３０を挟み込んだ状態で、裏面シート１２０に塗布された粘着剤１４０ｂによって貼着されて構成されている。
【００１８】
表面シート１１０は、第１の紙片部である分離片１１１と、第２の紙片部である残存片１１２とがミシン目１１３によって分離可能に連接して構成されている。分離片１１１と残存片１１２のそれぞれには、このＲＦ−ＩＤタグが取り付けられる商品の商品番号やサイズ、色、価格等の商品に関する情報が表示される情報表示部１１５，１１６が同一面にて設けられている。これら情報表示部１１５，１１６に表示された情報は、互いに同一のものとなっている。また、情報表示部１１５，１１６が設けられた面には、分離片１１１と残存片１１２とを跨るようにバーコード情報１１７が表示されている。このバーコード情報１１７は、例えば、情報表示部１１５，１１６に表示された商品番号がバーコード表示されたものであって、このバーコード情報１１７を読み取ることによって、取り付けられた商品が識別可能となっている。また、残存片１１２には、このＲＦ−ＩＤタグを商品に取り付けるための取り付け穴１１４が設けられている。表面シート１１０の裏面には、分離片１１１のみに粘着剤１４０ａが塗布されており、この粘着剤１４０ａによってインレットシート１３０が貼着されている。また、分離片１１１のインレットシート１３０に対向しない領域には、シリコン等からなる剥離剤１５０が塗布されている。
【００１９】
インレットシート１３０は、ＰＥＴ樹脂等からなるベース基材１３３上に、二等辺三角形からなる導体部１３２ａ，１３２ｂが、二等辺三角形の等しい辺がなす頂点どうしを結んだ直線が二等辺三角形の底辺のそれぞれに対して垂直となるように、かつ、頂点どうしが空隙を有するように配置されてなるアンテナが形成されており、この２つの導体部１３２ａ，１３２ｂに接続されるように、非接触状態にて情報の書き込み及び読み出しが可能なＩＣチップ１３１が搭載されて構成されている。このように構成されたインレットシート１３０は、表面シート１１０の裏面側に、表面シート１１０の分離片１１１と残存片１１２とを跨るように配置され、表面シート１１０の裏面に塗布された粘着剤１４０ａによって分離片１１１のみに貼着されている。このように、インレットシート１３０が、分離される分離片１１１と残存片１１２とを跨るように配置されているため、インレットシート１３０のアンテナの長さが、分離片１１１や残存片１１２の大きさに応じたものとはなっておらず、それにより、所望の通信距離を確保することができる。
【００２０】
裏面シート１２０は、表面シート１１０との貼着面のうちその周縁部に粘着剤１４０ｂが塗布されており、この粘着剤１４０ｂによって表面シート１１０に貼着されている。この粘着剤１４０ｂが塗布された領域のうち表面シート１１０の分離片１１１に対向する領域は、表面シート１１０の剥離剤１５０が塗布された領域に対向しており、それにより、表面シート１１０と裏面シート１２０とは、表面シート１１０の分離片１１１において剥離可能となっている。表面シート１１０の取り付け穴１１４に対向する領域には、同様の取り付け穴１２４が形成されており、また、表面シート１１０の分離片１１１に対向する領域には、その領域を分離片１１１と残存片１１２の連接方向に二等分するミシン目１２１が形成されている。また、表面シート１１０との貼着面とは反対側の面には、例えば、このＲＦ−ＩＤタグが取り付けられる商品のブランド等を示す情報が表示されている。
【００２１】
上記のように構成されたＲＦ−ＩＤタグを製造する場合は、まず、連続状の表面シート１１０の一方の面に図１（ｃ）に示したようなパターンで粘着剤１４０ａ及び剥離剤１５０を塗布するとともに、連続状の裏面シート１２０の一方の面に図１（ｅ）に示したようなパターンで粘着剤１４０ｂを塗布し、これら表面シート１１０と裏面シート１２０を搬送してくる。
【００２２】
次に、表面シート１１０の粘着剤１４０ａ及び剥離剤１５０が塗布された面と、裏面シート１２０の粘着剤１４０ｂが塗布された面とを対向させ、その間に単片状のインレットシート１３０を挟み込み、表面シート１１０とインレットシート１３０とを粘着剤１４０ａによって貼着するとともに、表面シート１１０と裏面シート１２０とを粘着剤１４０ｂによって貼着する。
【００２３】
そして、表面シート１１０と裏面シート１２０にミシン目１１３，１２１をそれぞれ形成するとともに、取り付け穴１１４，１２４をそれぞれ形成し、表面シート１１０と裏面シート１２０とを単片状に断裁する。
【００２４】
その後、表面シート１１０に対して、分離片１１１及び残存片１１２の情報表示部１１５，１１６に商品に関する情報をそれぞれ印刷するとともに、分離片１１１と残存片１１２に跨るようにバーコード情報１１７を印刷する。
【００２５】
このように、分離片１１１と残存片１１２とに商品に関する情報を印刷する際、これらが表面シート１１０の同一面に印刷されることになるため、分離片１１１の情報表示部１１５に印刷する情報と、残存片１１２の情報表示部１１６に印刷する情報とのマッチングミスが生じてしまうことがなくなる。
【００２６】
以下に、上述したＲＦ−ＩＤタグの使用方法について説明する。
【００２７】
図２は、図１に示したＲＦ−ＩＤタグの使用方法を説明するための図である。
【００２８】
図１に示したＲＦ−ＩＤタグは図２（ａ）に示すように、取り付け穴１１４，１２４に通された樹脂ワイヤー等によって商品１６０に取り付けられて使用される。分離片１１１及び残存片１１２に設けられた情報表示部１１５，１１６には、取り付けられた商品１６０の商品番号や、サイズ、色、価格がそれぞれ印刷されており、また、商品番号がバーコード表現されたバーコード情報１１７が印刷されている。また、インレットシート１３０のＩＣチップ１３１にも商品番号が書き込まれている。なお、インレットシート１３０のＩＣチップ１３１には、このＲＦ−ＩＤタグが取り付けられた商品１６０の流通過程を示す情報を書き込んでおくこともできる。
【００２９】
消費者は、分離片１１１及び残存片１１２に設けられた情報表示部１１５，１１６に印刷された情報を参照して商品１６０を購入することになる。
【００３０】
ＲＦ−ＩＤタグが取り付けられた商品１６０が消費者によって購入される場合、図２（ｂ）に示すように、表面シート１１０の分離片１１１が捲られていく。すると、表面シート１１０と裏面シート１２０とは、裏面シート１２０に塗布された粘着剤１４０ｂによって互いに貼着されているものの、分離片１１１の粘着剤１４０ｂに対向する領域には剥離剤１５０が塗布されているため、分離片１１１が裏面シート１２０から剥離していく。この際、インレットシート１３０は、表面シート１１０に塗布された粘着剤１４０ａによって分離片１１１に貼着されているため、分離片１１１とともに裏面シート１２０から離間していく。
【００３１】
分離片１１１の裏面シート１２０との剥離部分が、残存片１１２との境界部分に到達すると、分離片１１１と残存片１１２との境界部分にはミシン目１１３が形成されているため、図２（ｃ）に示すように、ミシン目１１３が破断することにより、表面シート１１０が分離片１１１と残存片１１２とに分離していく。この際、インレットシート１３０は、上述したように、表面シート１１０に塗布された粘着剤１４０ａによって分離片１１１に貼着されているとともに、残存片１１２には貼着されていないため、分離片１１１とともに残存片１１２から離間していく。
【００３２】
ミシン目１１３が全て破断すると、図２（ｄ）に示すように、インレットシート１３０が貼着した分離片１１１と、裏面シート１２０に貼着された残存片１１２とが分離することになる。
【００３３】
裏面シート１２０及び残存片１１２から分離したインレットシート１３０及び分離片１１１は、その後、この商品１６０を販売した店舗に保管され、情報表示部１１５に表示された商品に関する情報やインレットシート１３０のＩＣチップ１３１に書き込まれた情報を用いて商品１６０の販売履歴が管理されることになる。また、分離片１１１には、分離片１１１と残存片１１２とに跨るように印刷されたバーコード情報１１７が表示されているため、このバーコード情報１１７を読み取ることによっても、商品１６０の販売履歴を管理することができる。なお、分離片１１１とインレットシート１３０とを貼着するための粘着剤１４０ａを、所定の条件を付与することにより貼着後の剥離が容易となるものを用いれば、インレットシート１３０を分離片１１１から剥離して再利用することができる。
【００３４】
一方、分離片１１１とインレットシート１３０が分離した残存片１１２と裏面シート１２０は、商品１６０に取り付けられたままの状態で、この商品１６０を購入した消費者に渡される。この際、裏面シート１２０には、分離片１１１が貼着していた領域に粘着剤１４０ｂが表出しているため、このままでは、粘着剤１４０ｂが塗布された領域がべたついてしまい取り扱いにくい。そこで、図２（ｅ）に示すように、裏面シート１２０を、粘着剤１４０ｂが塗布された面が内側となるようにミシン目１２１を介して折り畳み、折り畳んだ領域どうしを粘着剤１４０ｂによって貼着する。それにより、粘着剤１４０ｂが表出していない状態とすることができ、取り扱いやすくなる。このようにして、分離片１１１から分離し、商品１６０に関する情報が情報表示部１１６に表示された残存片１１２が商品１６０に取り付けられたままの状態とすることにより、商品１６０を購入した消費者に、商品１６０の購入後も商品１６０に関する情報を通知することができる。また、インレットシート１３０が、商品１６０に取り付けられたままとなる裏面シート１２０と残存部１１２から分離されるので、商品１６０を購入した消費者にインレットシート１３０の一部が渡ることがない。
【００３５】
（第２の実施の形態）
図３は、本発明のＲＦ−ＩＤタグの第２の実施の形態を示す図であり、（ａ）は表面図、（ｂ）は（ａ）に示したＡ−Ａ’断面図、（ｃ）は表面シート２１０の裏面シート２２０との貼着面を示す図、（ｄ）はインレットシート２３０の構成を示す図、（ｅ）は裏面シート２２０の表面シート２１０との貼着面を示す図である。
【００３６】
本形態は図３に示すように、第１のシートである表面シート２１０と、第２のシートである裏面シート２２０とが、インレットシート２３０を挟み込んだ状態で、表面シート２１０に塗布された粘着剤２４０ｂによって貼着されて構成されている。
【００３７】
表面シート２１０は、第１の紙片部である分離片２１１と、第２の紙片部である残存片２１２とがミシン目２１３によって分離可能に連接して構成されている。分離片２１１と残存片２１２のそれぞれには、このＲＦ−ＩＤタグが取り付けられる商品の商品番号がバーコード表現されたバーコード情報２１５，２１６が同一面にて表示されており、このバーコード情報２１５，２１６を読み取ることによって、取り付けられた商品が識別可能となっている。また、分離片２１１と残存片２１２とに跨るように、このＲＦ−ＩＤタグが取り付けられる商品に関する表示情報２１７が表示されている。また、残存片２１２には、このＲＦ−ＩＤタグを商品に取り付けるための取り付け穴２１４が設けられている。表面シート２１０の裏面には、分離片２１１のみに粘着剤２４０ａが塗布されており、この粘着剤２４０ａによってインレットシート２３０が貼着されている。また、表面シート２１０のインレットシート２３０が貼着される面の周縁部には、粘着剤２４０ｂが塗布されており、この粘着剤２４０ｂによって表面シート２１０と裏面シート２２０とが貼着されている。
【００３８】
インレットシート１３０は、ＰＥＴ樹脂等からなるベース基材２３３上に、二等辺三角形からなる導体部２３２ａ，２３２ｂが、二等辺三角形の等しい辺がなす頂点どうしを結んだ直線が二等辺三角形の底辺のそれぞれに対して垂直となるように、かつ、頂点どうしが空隙を有するように配置されてなるアンテナが形成されており、この２つの導体部２３２ａ，２３２ｂに接続されるように、非接触状態にて情報の書き込み及び読み出しが可能なＩＣチップ２３１が搭載されて構成されている。このように構成されたインレットシート２３０は、表面シート２１０の裏面側に、表面シート２１０の分離片２１１と残存片２１２とを跨るように配置され、表面シート２１０の裏面に塗布された粘着剤２４０ａによって分離片２１１のみに貼着されている。このように、インレットシート２３０が、分離される分離片２１１と残存片２１２とを跨るように配置されているため、インレットシート２３０のアンテナの長さが、分離片２１１や残存片２１２の大きさに応じたものとはなっておらず、それにより、所望の通信距離を確保することができる。
【００３９】
裏面シート２２０は、表面シート２１０に塗布された粘着剤２４０ｂによって表面シート２１０に貼着されているが、表面シート２１０との貼着面のうち分離片２１１の粘着剤２４０ｂが塗布された領域に対向する領域に、シリコン等からなる剥離剤２５０が塗布されており、それにより、表面シート２１０と裏面シート２２０とは、表面シート２１０の分離片２１１において剥離可能となっている。表面シート２１０の取り付け穴２１４に対向する領域には、同様の取り付け穴２２４が形成されている。また、表面シート２１０の分離片２１１に対向する領域には、表面シート２１０に表示された表示情報２１７のうち、分離片２１１に表示された部分が、それに対向する領域に表示情報２２１として表示されている。また、表面シート２１０との貼着面とは反対側の面には、例えば、このＲＦ−ＩＤタグが取り付けられる商品のブランド等を示す情報が表示されている。
【００４０】
上記のように構成されたＲＦ−ＩＤタグを製造する場合は、まず、連続状の表面シート２１０の一方の面に図３（ｃ）に示したようなパターンで粘着剤２４０ａ，２４０ｂを塗布するとともに、連続状の裏面シート２２０の一方の面に図３（ｅ）に示したようなパターンで剥離剤２５０を塗布し、これら表面シート２１０と裏面シート２２０を搬送してくる。
【００４１】
次に、表面シート２１０の粘着剤２４０ａ，２４０ｂが塗布された面と、裏面シート２２０の剥離剤２５０が塗布された面とを対向させ、その間に単片状のインレットシート２３０を挟み込み、表面シート２１０とインレットシート２３０とを粘着剤２４０ａによって貼着するとともに、表面シート２１０と裏面シート２２０とを粘着剤２４０ｂによって貼着する。
【００４２】
そして、表面シート２１０にミシン目２１３を形成するとともに、表面シート２１０と裏面シート２２０に取り付け穴２１４，２２４をそれぞれ形成し、表面シート２１０と裏面シート２２０とを単片状に断裁する。
【００４３】
その後、表面シート２１０に対して、分離片２１１及び残存片２１２に、商品番号がバーコード表示されたバーコード情報２１５，２１６をそれぞれ印刷するとともに、分離片２１１と残存片２１２とに跨るように表示情報２１７を印刷する。
【００４４】
このように、分離片２１１と残存片２１２とに商品番号がバーコード表示されたバーコード情報２１５，２１６を印刷する際、これらが表面シート２１０の同一面に印刷されることになるため、分離片２１１に印刷するバーコード情報２１５と、残存片２１２に印刷するバーコード情報２１６とのマッチングミスが生じてしまうことがなくなる。
【００４５】
以下に、上述したＲＦ−ＩＤタグの使用方法について説明する。
【００４６】
図４は、図３に示したＲＦ−ＩＤタグの使用方法を説明するための図である。
【００４７】
図３に示したＲＦ−ＩＤタグは図４（ａ）に示すように、取り付け穴２１４，２２４に通された樹脂ワイヤー等によって商品２６０に取り付けられて使用される。分離片２１１と残存片２１２には、取り付けられた商品２６０の商品番号がバーコード表現されたバーコード情報２１５，２１６がそれぞれ印刷されており、また、商品に関する表示情報２１７が分離片２１１と残存片２１２とに跨るように印刷されている。また、インレットシート２３０のＩＣチップ２３１にも商品番号が書き込まれている。なお、インレットシート２３０のＩＣチップ２３１には、このＲＦ−ＩＤタグが取り付けられた商品２６０の流通過程を示す情報を書き込んでおくこともできる。
【００４８】
消費者は、分離片２１１と残存片２１２とに跨るように印刷された表示情報２１７を参照して商品２６０を購入することになる。
【００４９】
ＲＦ−ＩＤタグが取り付けられた商品２６０が消費者によって購入される場合、図４（ｂ）に示すように、表面シート２１０の分離片２１１が捲られていく。すると、表面シート２１０と裏面シート２２０とは、表面シート２１０に塗布された粘着剤２４０ｂによって互いに貼着されているものの、裏面シート２２０の、分離片２１１の粘着剤２４０ｂに対向する領域には剥離剤２５０が塗布されているため、分離片２１１が裏面シート２２０から剥離していく。この際、インレットシート２３０は、表面シート２１０に塗布された粘着剤２４０ａによって分離片２１１に貼着されているため、分離片２１１とともに裏面シート２２０から離間していく。
【００５０】
分離片２１１の裏面シート２２０との剥離部分が、残存片２１２との境界部分に到達すると、分離片２１１と残存片２１２との境界部分にはミシン目２１３が形成されているため、図４（ｃ）に示すように、ミシン目２１３が破断することにより、表面シート２１０が分離片２１１と残存片２１２とに分離していく。この際、インレットシート２３０は、上述したように、表面シート２１０に塗布された粘着剤２４０ａによって分離片２１１に貼着されているとともに、残存片２１２には貼着されていないため、分離片２１１とともに残存片２１２から離間していく。
【００５１】
ミシン目２１３が全て破断すると、図４（ｄ）に示すように、インレットシート２３０が貼着した分離片２１１と、裏面シート２２０に貼着された残存片２１２とが分離することになる。
【００５２】
裏面シート２２０及び残存片２１２から分離したインレットシート２３０及び分離片２１１は、その後、この商品２６０を販売した店舗に保管され、分離片２１１に表示されたバーコード情報２１５やインレットシート２３０のＩＣチップ２３１に書き込まれた情報を用いて商品２６０の販売履歴が管理されることになる。この際、分離片２１１の裏面には、表面シート２１０と裏面シート２２０とを貼着していた粘着剤２４０ｂが表出している。そのため、この粘着剤２４０ｂを用いて、店舗用に印字出力されたレシートや販売記録シート等に分離片２１１及びインレットシート２３０を貼付して管理することができる。なお、分離片２１１とインレットシート２３０とを貼着するための粘着剤２４０ａを、所定の条件を付与することにより貼着後の剥離が容易となるものを用いれば、インレットシート２３０を分離片２１１から剥離して再利用することができる。
【００５３】
一方、分離片２１１とインレットシート２３０が分離した残存片２１２と裏面シート２２０は、商品２６０に取り付けられたままの状態で、この商品２６０を購入した消費者に渡される。この際、裏面シート２２０には、分離片２１１に対向する領域に、表面シート２１０に表示された表示情報２１７のうち、分離片２１１に表示された部分が、それに対向する領域に表示情報２２１として表示されているので、分離片２１１が残存片２１２から分離した後であっても、分離片２１１と残存片２１２とに跨るように表示されていた表示情報２１７がそのまま表示されたような状態となる。このようにして、分離片２１１から分離し、分離片２１１と残存片２１２とに跨るように表示されていた表示情報２１７がそのまま表示されたような状態として残存片３１２と裏面シート３２０が商品２６０に取り付けたられたままとすることにより、商品２６０を購入した消費者に、商品２６０の購入後も商品１６０に関する表示情報２１７を通知することができる。また、インレットシート２３０が、商品２６０に取り付けられたままとなる裏面シート２２０と残存部２１２から分離されるので、商品２６０を購入した消費者にインレットシート２３０の一部が渡ることがない。
【００５４】
なお、上述した２つの実施の形態においては、表面シート１１０，２１０の分離片１１１，２１１と裏面シート１２０，２２０とを剥離可能とするために剥離剤１５０，２５０を用いているが、表面シート１１０，２１０と裏面シート１２０，２２０とを貼着する粘着剤を、粘着力が弱いものや感圧性のもの等、貼着後の剥離が可能なものとしてもよい。
【００５５】
（第３の実施の形態）
図５は、本発明のＲＦ−ＩＤタグの第３の実施の形態を示す図であり、（ａ）は表面図、（ｂ）は（ａ）に示したＡ−Ａ’断面図、（ｃ）は表面シート３１０の裏面シート３２０との貼着面を示す図、（ｄ）はインレットシート３３０の構成を示す図、（ｅ）は裏面シート３２０の表面シート３１０との貼着面を示す図である。
【００５６】
本形態は図５に示すように、第１のシートである表面シート３１０と、第２のシートである裏面シート３２０とが、インレットシート３３０を挟み込んだ状態で、表面シート３１０に塗布された粘着剤３４０ｂによって貼着されて構成されている。
【００５７】
表面シート３１０は、第１の紙片部である分離片３１１と、第２の紙片部である残存片３１２とがミシン目３１３によって分離可能に連接して構成されている。分離片３１１と残存片３１２のそれぞれには、このＲＦ−ＩＤタグが取り付けられる商品の商品番号やサイズ、色、価格等の商品に関する情報が表示される情報表示部３１５，３１６が同一面にて設けられている。また、このＲＦ−ＩＤタグが取り付けられる商品の商品番号がバーコード表現されたバーコード情報３１７，３１８が分離片３１１と残存片３１２のそれぞれの同一面にて表示されており、このバーコード情報３１７，３１８を読み取ることによって、取り付けられた商品が識別可能となっている。また、残存片３１２には、このＲＦ−ＩＤタグを商品に取り付けるための取り付け穴３１４が設けられている。また、表面シート３１０の裏面には、その周縁部に粘着剤３４０ｂが塗布されており、この粘着剤３４０ｂによって表面シート３１０と裏面シート３２０とが貼着されているとともに、表面シート３１０とインレットシート３３０とが貼着されている。また、ミシン目３１３の端部には、分離部３１１と残存部３１２とを分離する際のきっかけとなる切り込み３１９が形成されている。
【００５８】
インレットシート３３０は、ＰＥＴ樹脂等からなるベース基材３３３上に、二等辺三角形からなる導体部３３２ａ，３３２ｂが、二等辺三角形の等しい辺がなす頂点どうしを結んだ直線が二等辺三角形の底辺のそれぞれに対して垂直となるように、かつ、頂点どうしが空隙を有するように配置されてなるアンテナが形成されており、この２つの導体部３３２ａ，３３２ｂに接続されるように、非接触状態にて情報の書き込み及び読み出しが可能なＩＣチップ３３１が搭載されて構成されている。このように構成されたインレットシート３３０は、表面シート３１０の裏面側に、表面シート３１０の分離片３１１と残存片３１２とを跨るように配置され、表面シート３１０の裏面に塗布された粘着剤３４０ｂによって分離片３１１のみに貼着されている。このように、インレットシート３３０が、分離される分離片３１１と残存片３１２とを跨るように配置されているため、インレットシート３３０のアンテナの長さが、分離片３１１や残存片３１２の大きさに応じたものとはなっておらず、それにより、所望の通信距離を確保することができる。
【００５９】
裏面シート３２０は、表面シート３１０に塗布された粘着剤３４０ｂによって表面シート３１０に貼着され、表面シート３１０の分離片３１１に対向する第３の紙片部である分離片３２１と、表面シート３１０の残存片３１２に対向する第４の紙片部である残存片３２２とがミシン目３２３によって分離可能に連接して構成されている。また、ミシン目３２３の端部には、表面シート３１０と同様に切り込み３２９が形成されている。また、インレットシート３３０に対向する領域のうちインレットシート３３０が表面シート３１０に貼着された領域に対向する領域に粘着剤３４０ａが塗布されており、それにより、インレットシート３３０が分離片３２１に貼着されている。また、表面シート３１０との貼着面とは反対側の面には、例えば、このＲＦ−ＩＤタグが取り付けられる商品のブランド等を示す情報が表示されている。
【００６０】
上記のように構成されたＲＦ−ＩＤタグを製造する場合は、まず、連続状の表面シート３１０の一方の面に図５（ｃ）に示したようなパターンで粘着剤３４０ｂを塗布するとともに、連続状の裏面シート３２０の一方の面に図５（ｅ）に示したようなパターンで粘着剤３４０ａを塗布し、これら表面シート３１０と裏面シート３２０を搬送してくる。
【００６１】
次に、表面シート３１０の粘着剤３４０ｂが塗布された面と、裏面シート３２０の粘着剤３４０ａが塗布された面とを対向させ、その間に単片状のインレットシート３３０を挟み込み、裏面シート３２０及び表面シート３１０とインレットシート３３０とを粘着剤３４０ａ，３４０ｂによってそれぞれ貼着するとともに、表面シート３１０と裏面シート３２０とを粘着剤３４０ｂによって貼着する。
【００６２】
そして、表面シート３１０と裏面シート３２０にミシン目３１３，３２３及び切り込み３１９，３２９をそれぞれ形成するとともに、取り付け穴３１４，３２４をそれぞれ形成し、表面シート３１０と裏面シート３２０とを単片状に断裁する。
【００６３】
その後、表面シート３１０に対して、分離片３１１及び残存片３１２の情報表示部３１５，３１６に商品に関する情報をそれぞれ印刷するとともに、分離片３１１と残存片３１２にバーコード情報３１７，３１８をそれぞれ印刷する。
【００６４】
このように、分離片３１１と残存片３１２とに商品に関する情報を印刷する際、これらが表面シート３１０の同一面に印刷されることになるため、分離片３１１の情報表示部３１５に印刷する情報及びバーコード情報３１７と、残存片３１２の情報表示部３１６に印刷する情報及びバーコード情報３１８とのマッチングミスが生じてしまうことがなくなる。
【００６５】
以下に、上述したＲＦ−ＩＤタグの使用方法について説明する。
【００６６】
図６は、図５に示したＲＦ−ＩＤタグの使用方法を説明するための図である。
【００６７】
図５に示したＲＦ−ＩＤタグは図６（ａ）に示すように、取り付け穴３１４，３２４に通された樹脂ワイヤー等によって商品３６０に取り付けられて使用される。分離片３１１及び残存片３１２に設けられた情報表示部３１５，３１６には、取り付けられた商品３６０の商品番号や、サイズ、色、価格がそれぞれ印刷されており、また、商品番号がバーコード表現されたバーコード情報３１７，３１８が印刷されている。また、インレットシート３３０のＩＣチップ３３１にも商品番号が書き込まれている。なお、インレットシート３３０のＩＣチップ３３１には、このＲＦ−ＩＤタグが取り付けられた商品３６０の流通過程を示す情報を書き込んでおくこともできる。
【００６８】
消費者は、分離片３１１及び残存片３１２に設けられた情報表示部３１５，３１６に印刷された情報を参照して商品３６０を購入することになる。
【００６９】
ＲＦ−ＩＤタグが取り付けられた商品３６０が消費者によって購入される場合、図６（ｂ）に示すように、表面シート３１０に形成されたミシン目３１３と裏面シート３２０に形成されたミシン目３２３とが、切り込み３１９，３２９をきっかけとして破断されていく。
【００７０】
そして、ミシン目３１３，３２３が全て破断すると、表面シート３１０と裏面シート３２０との間に挟み込まれたインレットシート３３０が、表面シート３１０の分離片３１１と裏面シート３２０の分離片３２１とに貼着されており、表面シート３１０の残存片３１２と裏面シート３２０の残存片３２２とには貼着されていないため、図６（ｃ）に示すように、インレットシート３３０が貼着した分離片３１１，３２１と、残存片３１２，３２２とが分離することになる。
【００７１】
残存片３１２，３２２から分離した分離片３１１，３２１及びインレットシート３３０は、その後、この商品３６０を販売した店舗に保管され、情報表示部３１５に表示された商品に関する情報やバーコード情報３１７、あるいはインレットシート３３０のＩＣチップ３３１に書き込まれた情報を用いて商品３６０の販売履歴が管理されることになる。なお、表面シート３１０と裏面シート３２０とを貼着するための粘着剤３４０ｂと、インレットシート３３０と裏面シート３２０とを貼着するための粘着剤３４０ａを、所定の条件を付与することにより貼着後の剥離が容易となるものを用いれば、インレットシート３３０を分離片３１１，３２１から剥離して再利用することができる。
【００７２】
一方、分離片３１１，３２１とインレットシート３３０が分離した残存片３１２，３２２は、商品３６０に取り付けられたままの状態で、この商品３６０を購入した消費者に渡される。このようにして、分離片３１１，３２１から分離し、商品３６０に関する情報が情報表示部３１６に表示された残存片３１２が商品３６０に取り付けられたままの状態とすることにより、商品３６０を購入した消費者に、商品３６０の購入後も商品３６０に関する情報を通知することができる。また、インレットシート３３０が、商品３６０に取り付けられたままとなる残存部３１２，３２２から分離されるので、商品３６０を購入した消費者にインレットシート３３０の一部が渡ることがない。
【００７３】
なお、本形態においては、インレットシート３３０が表面シート３１０の分離片３１１に粘着剤３４０ｂによって貼着されるともに裏面シート３２０の分離片３２１に粘着剤３４０ａによって貼着されているが、インレットシート３３０は、表面シート３１０の分離片３１１と裏面シート３２０の分離片３２１との少なくともいずれか一方に貼着されていればよい。
【００７４】
また、インレットシート１３０，２３０，３３０の構成は、上述した３つの実施の形態に示したものに限らず、非接触状態にて情報の書き込み及び／または読み出しが可能なＩＣチップと、ＩＣチップに接続されたアンテナとを具備するものであればよい。
【図面の簡単な説明】
【００７５】
【図１】本発明のＲＦ−ＩＤタグの第１の実施の形態を示す図であり、（ａ）は表面図、（ｂ）は（ａ）に示したＡ−Ａ’断面図、（ｃ）は表面シートの裏面シートとの貼着面を示す図、（ｄ）はインレットシートの構成を示す図、（ｅ）は裏面シートの表面シートとの貼着面を示す図である。
【図２】図１に示したＲＦ−ＩＤタグの使用方法を説明するための図である。
【図３】本発明のＲＦ−ＩＤタグの第２の実施の形態を示す図であり、（ａ）は表面図、（ｂ）は（ａ）に示したＡ−Ａ’断面図、（ｃ）は表面シートの裏面シートとの貼着面を示す図、（ｄ）はインレットシートの構成を示す図、（ｅ）は裏面シートの表面シートとの貼着面を示す図である。
【図４】図３に示したＲＦ−ＩＤタグの使用方法を説明するための図である。
【図５】本発明のＲＦ−ＩＤタグの第３の実施の形態を示す図であり、（ａ）は表面図、（ｂ）は（ａ）に示したＡ−Ａ’断面図、（ｃ）は表面シートの裏面シートとの貼着面を示す図、（ｄ）はインレットシートの構成を示す図、（ｅ）は裏面シートの表面シートとの貼着面を示す図である。
【図６】図５に示したＲＦ−ＩＤタグの使用方法を説明するための図である。
【符号の説明】
【００７６】
１１０，２１０，３１０    表面シート
１１１，２１１，３１１，３２１    分離片
１１２，２１２，３１２，３２２    残存片
１１３，１２１，２１３，３１３，３２３    ミシン目
１１４，１２４，２１４，２２４，３１４，３２４    取り付け穴
１１５，１１６，３１５，３１６    情報表示部
１１７，２１５，２１６，３１７，３１８    バーコード情報
１２０，２２０，３２０    裏面シート
１３０，２３０，３３０    インレットシート
１３１，２３１，３３１    ＩＣチップ
１３２ａ，１３２ｂ，２３２ａ，２３２ｂ，３３２ａ，３３２ｂ    導体部
１３３，２３３，３３３    ベース基材
１４０ａ，１４０ｂ，２４０ａ，２４０ｂ，３４０ａ，３４０ｂ    粘着剤
１５０，２５０    剥離剤
１６０，２６０，３６０    商品
２１７，２２１    表示情報
３１９，３２９    切り込み
【図１】
2010020457.tif 000003
【図２】
2010020457.tif 000004
【図３】
2010020457.tif 000005
【図４】
2010020457.tif 000006
【図５】
2010020457.tif 000007
【図６】
2010020457.tif 000008